(57)【要約】      （修正有）【課題】構造が簡単で目地プレートを地震の揺れ動きに対してスムーズに移動させることができ、安全な水平状態に位置させることができる床用目地装置を提供する。【解決手段】目地部２を介して設けられた左右の床躯体３の、一方の床躯体に形成された目地プレートスライド支持凹部５と、この目地プレートスライド支持凹部５にスライド可能に支持される目地プレート７の後端が支持される他方の床躯体の目地部側に固定された一対の筒状の支持部材６と、地震で目地部が狭くなると先端部が上方へ回動する目地プレート７と、この目地プレート７の後端の両側部寄りの中央部に上部が枢支ピンで、該目地プレート７の回動が可能に枢支された前記一対の支持部材６に遊挿される一対の支持杆９と、前記目地プレート７の後部側の底面に固定された後部側が下方へ順次突出する傾斜面状の目地プレートせり上げ部材１１とで床用目地装置を構成している。【選択図】図１
2010216139.tif 000002
【特許請求の範囲】
【請求項１】
目地部を介して設けられた左右の床躯体の一方の床躯体の目地部側に反目地部側が傾斜面に形成された目地プレートスライド支持凹部と、この目地プレートスライド支持凹部にスライド可能に支持される目地プレートの後端の両側部寄りの部位を支持する他方の床躯体の目地部側に固定された一対の筒状の支持部材と、この一対の支持部材に後端部が支持され、先端部が前記目地プレートスライド支持凹部に支持され、地震で目地部が狭くなると先端部が上方へ回動する目地プレートと、この目地プレートの後端の両側部寄りの中央部に上部が枢支ピンで、該目地プレートの回動が可能に枢支された前記一対の支持部材に遊挿される一対の支持杆と、前記目地プレートの後部側の底面に固定された後部側が下方へ順次突出する傾斜面状の目地プレートせり上げ部材とからなることを特徴とする床用目地装置。
【請求項２】
目地部を介して設けられた左右の床躯体の一方の床躯体と他方の床躯体は傾斜面あるいは段差があることを部位に特徴とする請求項１記載の床用目地装置。
【発明の詳細な説明】
【技術分野】
【０００１】
本発明は地震で目地部が狭くなると、目地プレートの先端が前方上方へ突出した後、目地プレートをほぼ水平状態に位置させることができる床用目地装置に関する。
【背景技術】
【０００２】
従来、目地プレートの後端部の底面にヒンジ部材を介して取付けられた支持軸を、目地プレートの後端部を支持する目地プレート支持部に形成した軸受穴で支持させ、地震で目地部が狭くなると目地部の先端部が床面上へ突出できるように回動できるように構成されている。
【０００３】
このため、目地部が狭くなると、目地部の先端部が床面上へ突出する状態となり、危険になるという欠点があった。
この欠点を解消するために、目地プレートの先端部が目地プレートスライド凹部より床面上へ突出すると、目地プレートの後端部を上方へせり上げられるように水平保持突片を形成したものが考えられているが、構造が複雑になったり、軸と軸挿入孔の遊びを大きくとらなければカジって、スムーズに移動しないという欠点があった。
【先行技術文献】
【特許文献】
【０００４】
【特許文献１】特許第３５７４６１０号
【特許文献２】特開２００８−６３８９５
【発明の概要】
【発明が解決しようとする課題】
【０００５】
本発明は以上のような従来の欠点に鑑み、構造が簡単で、目地プレートを地震の揺れ動きに対してスムーズに移動させることができ、かつ安全な水平状態に位置させることができる床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた左右の床躯体の、一方の床躯体の目地部側に反目地部側が傾斜面に形成された目地プレートスライド支持凹部と、この目地プレートスライド支持凹部にスライド可能に支持される目地プレートの後端の両側部寄りの部位を支持する他方の床躯体の目地部側に固定された一対の筒状の支持部材と、この一対の支持部材に後端部が支持され、先端部が前記目地プレートスライド支持凹部に支持され、地震で目地部が狭くなると先端部が上方へ回動する目地プレートと、この目地プレートの後端の両側部寄りの中央部に上部が枢支ピンで、該目地プレートの回動が可能に枢支された前記一対の支持部材に遊挿される一対の支持杆と、前記目地プレートの後部側の底面に固定された後部側が下方へ順次突出する傾斜面状の目地プレートせり上げ部材とで床用目地装置を構成している。
【発明の効果】
【０００８】
以上の説明から明らかなように、本発明にあっては次に列挙する効果が得られる。
【０００９】
（１）一対の枢支ピンで目地プレートの後端の両側部寄りの部位の中央部に取付けた一対の支持杆を、一対の筒状の支持部材に遊挿しているので、目地部が狭くなった場合の目地プレートの先端部の上方への回動を一対の枢支ピン部分でスムーズにさせることができるとともに、目地プレートせり上げ部材で目地プレート押し上げ、水平に位置させる場合に、枢支ピンで枢支された一対の支持杆が筒状の支持部材内をスムーズに上下移動して、目地プレートを水平に位置させることができる。
したがって、安全に使用することができる。
【００１０】
（２）前記（１）によって、目地プレートの押し圧を一対の筒状の支持部材が取付けられた他方の床躯体で行ない、目地プレートの引っ張りを一対の筒状の支持部材に遊挿され、一対の支持杆の支持部材の支持によって行なうことができ、一対の支持杆がカジって動かなくなるのを効率よく防止することができる。  
【００１１】
（３）前記（１）によって、目地プレートの後部を支持する一対の筒状の支持部材、この一対の支持部材に遊挿される一対の支持杆および、この一対の支持杆を目地プレートに取付ける一対の枢支ピンを用いて支持するので、構造が簡単で、容易に設置することができる。
【図面の簡単な説明】
【００１２】
【図１】本発明を実施するための第１の形態の平面図。
【図２】図1の２−２線に沿う断面図。
【図３】図1の３−３線に沿う断面図。
【図４】本発明を実施するための第１の形態の目地プレートの説明図。
【図５】本発明を実施するための第１の形態の支持部材の説明図。
【図６】本発明を実施するための第１の形態の目地部が狭くなった動作説明図。
【図７】本発明を実施するための第１の形態の目地部が広くなった動作説明図。
【図８】本発明を実施するための第１の形態の目地プレートの押し圧状態の説明図。
【図９】本発明を実施するための第１の形態の目地プレートを引っ張る状態の説明図。
【図１０】本発明を実施するための第2の形態の平面図。
【図１１】図１０の１１−１１線に沿う断面図。
【図１２】本発明を実施するための第2の形態の目地プレートの説明図。
【図１３】本発明を実施するための第3の形態の平面図。
【図１４】図１３の１４−１４線に沿う断面図。
【図１５】図１３の１５−１５線に沿う断面図。
【図１６】本発明を実施するための第4の形態の平面図。
【図１７】図１６の１７−１７線に沿う断面図。
【図１８】本発明を実施するための第４の形態の目地部が少し狭くなった動作説明図。
【図１９】本発明を実施するための第４の形態の目地部が大きく狭くなった動作説明図。
【発明を実施するための形態】
【００１３】
以下、図面に示す本発明を実施するための形態により、本発明を詳細に説明する。
【００１４】
図１ないし図9に示す本発明を実施するための第１の形態において、１は目地部２を介して設けられた左右の床躯体３、３間を覆う本発明の床用目地装置で、この床用目地装置1は前記左右の床躯体３、３の一方の床躯体３の目地部側に反目地部側が傾斜面4に形成された目地プレートスライド支持凹部５と、この目地プレートスライド支持凹部５にスライド可能に支持される目地プレートの後端の両側部寄りの部位を支持する他方の床躯体３の目地部側に固定された一対の角筒状の支持部材６、６と、この一対の角筒状の支持部材６、６に後端部が支持され、先端部が前記目地プレートスライド支持凹部５に支持され、地震で目地部２が狭くなると先端部が上方へ回動する前記左右の床躯体３、３の上面と、上面がほぼ同一面となる目地プレート７と、この目地プレート７の後端の両側部寄りの部位の中央部に上部が枢支ピン８、８で、該目地プレート７の先端部が上方へ回動できるように枢支された、前記一対の支持部材６、６に遊挿される角柱状の一対の支持杆９、９と、前記目地プレート７の後部側の底面に固定された後部側が下方へ順次突出する傾斜面１０状の目地プレートせり上げ部材１１とで構成されている。
【００１５】
前記一対の支持部材６、６は図５に示すように角筒状の支持部材本体１２と、この支持部材本体１２の一辺の下部より下方へ突出形成した複数個のタッピングビス挿入孔１３、１３が形成された下部取付片１４と、この下部取付片１４と同じ前記支持部材本体１２の一辺の上部より順次外側へ突出するように形成された複数個のタッピング皿ビス挿入孔１５、１５が形成された上部取付片１６とで構成されている。
【００１６】
前記目地プレート７は浅皿状の金属材で形成された底面に目地プレートせり上げ部材１１が固定された目地プレート本体１７と、この目地プレート本体１７後部の両側部寄りの部位に形成された、前記一対の支持杆９、９が挿入され、上部を枢支ピン８、８で枢支することができる支持杆挿入凹部１８、１８と、前記目地プレート本体１７に充填されたモルタルあるいはセメント１９と、このモルタルあるいはセメント１９の上部に敷設されたタイル等の床化粧板２０と、前記目地プレート本体１７の先端部にヒンジ部材２１を介して、先端部が上下方向に回動可能に取付けられた前部カバープレート２２とで構成されている。
【００１７】
上記構成の床用目地装置１は通常時には図１および図２に示すように、左右の床躯体３、３間の目地部２を、該左右の床躯体３、３の上面とほぼ同一上面となる目地プレート７で覆われ、人の通行は勿論、車両の通行も可能である。
地震で目地部２が狭くなる動作時のはじめは、図６に示すように他方の床躯体３によって、目地プレート７が一方の床躯体３方向へ押し出され、先端部が一方の床躯体３上へ突出するが、その後、目地プレートせり上げ部材１１によって上方へせり上げられ、一方の床躯体３の先端部の目地プレートスライド支持凹部５の目地部側端部を支点として、目地プレート７の一方の床躯体３側の重量が重くなると、目地プレート７の先端部が下方へ回動し、目地プレート７を安全な水平状態に位置させることができる。
この時、一対の支持杆９、９が目地プレート７に枢支ピン８、８で枢支されているとともに、一対の角筒状の支持部材６、６に遊挿されているため、目地プレート７の後端部の上下移動をスムーズにできるとともに、目地プレート７の押し圧は他方の床躯体３で行ない、引っ張りは一対の支持部材６、６内に遊挿された一対の支持杆９、９を介して行なうことができる。
[発明を実施するための異なる形態]
【００１８】
次に、図１０ないし図１９に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１９】
図１０ないし図１２に示す本発明を実施するための第２の形態において、前記本発明を実施するための第１の形態と主に異なる点は、先端部を目地プレートスライド支持凹部５の傾斜面４と面接触する傾斜面２３に形成した目地プレート７Ａを用いた点で、このような目地プレート７Ａを用いて構成した床用目地装置１Ａにしても、前記本発明を実施するための第１の形態と同様な作用効果が得られる。
【００２０】
図１３ないし図１５に示す本発明を実施するための第３の形態において、前記本発明を実施するための第１の形態と主に異なる点は、目地プレート本体１７の後方上部にヒンジ部材２４を介して先端部が上下方向へ回動する後部カバープレート２５を用いるとともに、円柱状の一対の支持杆９Ａ、９Ａを用いた点で、このように構成した床用目地装置１Ｂにしても、前記本発明を実施するための第１の形態と同様な作用効果が得られるとともに、目地プレート７が上方へ移動する時に生じる一対の支持部材６、６一対の支持杆９Ａ、９Ａとの接触面積を小さくして、よりスムーズに移動させることができる。
【００２１】
図１６ないし図１９に示す本発明を実施するための第４の形態において、前記本発明を実施するための第3の形態と主に異なる点は、左側が低い傾斜面の左右の床躯体３Ａ、３Ａ間に目地プレート７Ａを配置した点で、このような構成した床用目地装置1Ｃにしても前記本発明を実施するための第3の形態と同様な作用効果が得られるとともに、目地部が狭くなった場合の目地プレート７Ａの先端部の上方への突出量を小さく押さえることができる。
なお、左側が低い傾斜面の左右の床躯体３Ａ、３Ａは平坦な傾斜面は勿論のこと、目地部で段差がある左右の床躯体３Ａ、３Ａであってもよい。
【産業上の利用可能性】
【００２２】
本発明は左右の床躯体間の目地部を覆う床用目地装置を製造する産業で利用される。
【符号の説明】
【００２３】
１、１Ａ、１Ｂ、１Ｃ：床用目地装置、
２：目地部、
３、３Ａ：床躯体、
４：傾斜面、
５：目地プレートスライド支持凹部、    
６：支持部材、                ７、７Ａ：目地プレート、
８：枢支ピン、                ９、９Ａ：支持杆、            
１０：傾斜面、
１１：目地プレートせり上げ部材、
１２：支持部材本体、          １３：タッピングビス挿入孔、
１４：下部取付片、            １５：タッピング皿ビス挿入孔、
１６：上部取付片、            １７：目地プレート本体、
１８：支持杆挿入凹部、        １９：モルタルあるいはセメント、
２０：床化粧板、              ２１：ヒンジ部材、
２２：前部カバープレート、    ２３：傾斜面、
２４：ヒンジ部材、            ２５：後部カバープレート。
【図１】
2010216139.tif 000003
【図２】
2010216139.tif 000004
【図３】
2010216139.tif 000005
【図４】
2010216139.tif 000006
【図５】
2010216139.tif 000007
【図６】
2010216139.tif 000008
【図７】
2010216139.tif 000009
【図８】
2010216139.tif 000010
【図９】
2010216139.tif 000011
【図１０】
2010216139.tif 000012
【図１１】
2010216139.tif 000013
【図１２】
2010216139.tif 000014
【図１３】
2010216139.tif 000015
【図１４】
2010216139.tif 000016
【図１５】
2010216139.tif 000017
【図１６】
2010216139.tif 000018
【図１７】
2010216139.tif 000019
【図１８】
2010216139.tif 000020
【図１９】
2010216139.tif 000021